(57)【要約】【課題】収納手段の利用状態を適切に管理できる技術を提供すること。【解決手段】格納棚の扉に錠装置が組込まれる。電子キーが錠装置にセットされることで、電子キーと錠装置とが通信を行って認証処理を実行し、利用可と判断された場合に、錠装置が解錠状態とされる。扉の開閉タイミングに応じて、電子キーに利用履歴を記憶させる。【選択図】図９
2011256710.tif 000002
【特許請求の範囲】
【請求項１】
開閉自在とされた開閉部材を有する収納手段と、前記開閉部材を施錠状態又は解錠状態にする錠装置と、電子キーとを備え、前記錠装置と前記電子キーとが通信を行って認証動作を行い利用可と判断されたときに、前記錠装置を解錠状態にする格納システムであって、
前記錠装置及び前記電子キーのうち少なくとも一方は、前記収納手段に関する利用履歴を記憶する記憶手段を有する、格納システム。
【請求項２】
開閉自在とされた開閉部材を有する収納手段と、
前記開閉部材を施錠状態又は解錠状態にする錠ロック部と前記錠ロック部を制御する錠側制御部とを有する錠装置と、
認証情報を記憶した記憶部と前記錠側制御部との間で通信を行うキー側制御部とを有する電子キーと、
を備え、前記錠側制御部と前記キー側制御部との間で通信を行って認証動作を行い、利用可と判断されたときに前記錠側制御部が前記錠ロック部に解錠動作を行わせる格納システムであって、
前記キー側制御部は、前記収納手段の利用開始タイミング又は利用終了タイミングのうち少なくとも一方のタイミングで、前記収納手段に関する利用履歴を前記記憶部に記憶させる、格納システム。
【請求項３】
請求項２記載の格納システムであって、
利用者を特定するための利用者特定手段をさらに備え、
前記キー側制御部は、特定された利用者に関する情報を含む利用履歴を前記記憶部に記憶させる、格納システム。
【請求項４】
請求項２又は請求項３記載の格納システムであって、
前記収納手段内に格納された格納物の格納状況を検索する格納物検索手段をさらに備え、
前記収納手段の利用開始タイミング及び利用終了タイミングのうち少なくとも一方のタイミングで、前記格納物検索手段による検索動作を行うと共に、その検索結果を前記記憶部に記憶させる、格納システム。
【請求項５】
請求項２〜請求項４のいずれかに記載の格納システムであって、
前記格納物検索手段は、
前記各格納物に取付けられたタグ装置と、前記各タグ装置と通信可能な通信手段と、前記通信手段を通じて前記各タグ装置との間で通信を行うことで前記各格納物の在庫状況を認識する検索制御部とを備え、
前記検索制御部は、前記電子キーに組込まれており、前記電子キーが前記錠装置にセットされた状態で、前記検索制御部が前記通信手段を介して前記各タグ装置と通信を行う、格納システム。
【請求項６】
収納手段に取付けられた錠装置を解錠するための電子キーであって、
認証情報を記憶した記憶部と、
前記錠装置との間で通信を行って認証に関する処理を行うキー側制御部と、
を備え、
前記キー側制御部は、前記収納手段の利用開始タイミング又は利用終了タイミングのうち少なくとも一方のタイミングで、前記収納手段に関する利用履歴を前記記憶部に記憶させる、電子キー。
【発明の詳細な説明】
【技術分野】
【０００１】
この発明は、キャビネット等の収納手段を管理するための技術に関する。
【背景技術】
【０００２】
ファイル等の格納物を格納するためのキャビネットとして、機械的な錠機構付の扉を開閉自在に備えたものがある。
【０００３】
従来のキャビネットでは、利用者が鍵を持って錠の鍵穴に差込んで回すことによって、施錠又は解錠するのが一般的である。
【０００４】
なお、机に施錠装置を取付けた技術として、特許文献１に開示のものがある。
【先行技術文献】
【特許文献】
【０００５】
【特許文献１】特開２００１−３０３８２８号公報
【発明の概要】
【発明が解決しようとする課題】
【０００６】
ところで、近年、情報セキュリティ対策に関する要求が厳しくなった。これに伴い、キャビネット等に格納されるファイルについても十分に管理するように要請され、例えば、キャビネットの利用者等、その利用状況についても適切に管理することができるようにとの要請が強くなった。
【０００７】
そこで、本発明の目的は、収納手段の利用状態を適切に管理できる技術を提供することにある。
【課題を解決するための手段】
【０００８】
この発明に係る格納システムは、開閉自在とされた開閉部材を有する収納手段と、前記開閉部材を施錠状態又は解錠状態にする錠装置と、電子キーとを備え、前記錠装置と前記電子キーとが通信を行って認証動作を行い利用可と判断されたときに、前記錠装置を解錠状態にする格納システムであって、前記錠装置及び前記電子キーのうち少なくとも一方は、前記収納手段に関する利用履歴を記憶する記憶手段を有するものである。
【０００９】
また、この発明に係る他の格納システムは、開閉自在とされた開閉部材を有する収納手段と、前記開閉部材を施錠状態又は解錠状態にする錠ロック部と前記錠ロック部を制御する錠側制御部とを有する錠装置と、認証情報を記憶した記憶部と前記錠側制御部との間で通信を行うキー側制御部とを有する電子キーと、を備え、前記錠側制御部と前記キー側制御部との間で通信を行って認証動作を行い、利用可と判断されたときに前記錠側制御部が前記錠ロック部に解錠動作を行わせる格納システムであって、前記キー側制御部は、前記収納手段の利用開始タイミング又は利用終了タイミングのうち少なくとも一方のタイミングで、前記収納手段に関する利用履歴を前記記憶部に記憶させるものである。
【００１０】
この場合に、利用者を特定するための利用者特定手段をさらに備え、前記キー側制御部は、特定された利用者に関する情報を含む利用履歴を前記記憶部に記憶させるようにしてもよい。
【００１１】
また、前記収納手段内に格納された格納物の格納状況を検索する格納物検索手段をさらに備え、前記収納手段の利用開始タイミング及び利用終了タイミングのうち少なくとも一方のタイミングで、前記格納物検索手段による検索動作を行うと共に、その検索結果を前記記憶部に記憶させるようにしてもよい。
【００１２】
さらに、前記格納物検索手段は、前記各格納物に取付けられたタグ装置と、前記各タグ装置と通信可能な通信手段と、前記通信手段を通じて前記各タグ装置との間で通信を行うことで前記各格納物の在庫状況を認識する検索制御部とを備え、前記検索制御部は、前記電子キーに組込まれており、前記電子キーが前記錠装置にセットされた状態で、前記検索制御部が前記通信手段を介して前記各タグ装置と通信を行うようにしてもよい。
【００１３】
さらに、この発明に係る電子キーは、収納手段に取付けられた錠装置を解錠するための電子キーであって、認証情報を記憶した記憶部と、前記錠装置との間で通信を行って認証に関する処理を行うキー側制御部と、を備え、前記キー側制御部は、前記収納手段の利用開始タイミング又は利用終了タイミングのうち少なくとも一方のタイミングで、前記収納手段に関する利用履歴を前記記憶部に記憶させるものである。
【発明の効果】
【００１４】
この発明の格納システムによると、錠装置及び電子キーのうち少なくとも一方が、利用履歴を記憶しているため、収納手段の利用状態を適切に管理できる。
【００１５】
また、この発明の格納システムによると、電子キーは、前記収納手段の利用開始タイミング又は利用終了タイミングのうち少なくとも一方のタイミングで、前記収納手段に関する利用履歴を前記記憶部に記憶させるため、収納手段の利用状態を適切に管理できる。
【００１６】
この場合に、前記キー側制御部は、特定された利用者に関する情報を含む利用履歴を前記記憶部に記憶させると、電子キーが複数の利用者で共用される場合であっても、各利用者毎に利用履歴を管理できる。
【００１７】
また、この場合に、前記収納手段内に格納された格納物の格納状況を検索する格納物検索手段をさらに備え、前記収納手段の利用開始タイミング及び利用終了タイミングのうち少なくとも一方のタイミングで、前記格納物検索手段による検索動作を行うと共に、その検索結果を前記記憶部に記憶させると、各利用時における格納物の在庫状況を管理でき、収納手段の利用状況をより適切に管理できる。
【００１８】
さらに、前記格納物検索手段は、前記各格納物に取付けられたタグ装置と、前記各タグ装置と通信可能な通信手段と、前記通信手段を通じて前記各タグ装置との間で通信を行うことで前記各格納物の在庫状況を認識する検索制御部とを備え、前記検索制御部は、前記電子キーに組込まれており、前記電子キーが前記錠装置にセットされた状態で、前記検索制御部が前記通信手段を介して前記各タグ装置と通信を行うと、収納手段自体に制御手段を組込む必要が無く、従って、収納手段の構成を簡易化できる。
【００１９】
また、この発明の電子キーによると、電子キーは、収納手段の利用開始タイミング又は利用終了タイミングのうち少なくとも一方のタイミングで、収納手段に関する利用履歴を前記記憶部に記憶させるため、収納手段の利用状態を適切に管理できる。
【図面の簡単な説明】
【００２０】
【図１】格納システムの全体構成を示す図である。
【図２】格納棚を示す斜視図である。
【図３】錠装置及び電子キーを示す斜視図である。
【図４】錠装置に電子キーを差込んだ状態を示す斜視図である。
【図５】錠装置及び電子キーの電気的構成を示すブロック図である。
【図６】認証情報の一例を示す図である。
【図７】キー発行機及び電子キーの電気的構成を示すブロック図である。
【図８】キー発行機の動作を示すフローチャートである。
【図９】電子キーの動作を示すフローチャートである。
【図１０】錠装置の動作を示すフローチャートである。
【図１１】変形例に係る格納システムを示す斜視図である。
【図１２】変形例に係る錠装置、電子キー及び格納物検索装置の電気的構成を示すブロック図である。
【図１３】変形例に係る電子キーの動作を示すフローチャートである。
【発明を実施するための形態】
【００２１】
｛実施形態｝
＜全体構成＞
以下、この発明の実施形態に係る格納システムについて説明する。図１は、格納システムの全体構成を示す図である。
【００２２】
格納システムは、格納棚１０，１０Ｂと、格納棚１０，１０Ｂに取付けられた錠装置２０と、電子キー６０と、電子キー６０の発行管理を行うキー発行機８０とを備えている。
【００２３】
格納棚１０，１０Ｂは、一つ又は複数の収納手段を有している。ここでは、格納棚１０は、収納手段として、両開き式の収納部１１ａと、引出式の収納部１１ｂ．１１ｃ，１１ｄとを有している。格納棚１０Ｂは、両開き式の収納部１１Ｂａを有している。
【００２４】
上記各収納部１１ａ，１１ｂ，１１ｃ，１１ｄ，１１Ｂａには、それらを施錠状態又は解錠状態にするための錠装置２０が取付けられている。
【００２５】
本格納システムの利用者に対しては、キー発行機８０から電子キー６０が発行される。利用者は該電子キー６０を用いて錠装置２０を施錠又は解錠して各所定の収納部１１ａ，１１ｂ，１１ｃ，１１ｄ，１１Ｂａを利用する。
【００２６】
本発明では、収納部１１ａ，１１ｂ，１１ｃ，１１ｄ，１１Ｂａの利用履歴を記憶させるようにしている。以下、より詳細に説明する。
【００２７】
＜格納棚＞
図２は格納棚を示す斜視図である。この格納棚１０は、収納本体部１１の上半部に収納手段としての収納部１１ａが設けられると共に、下半部に収納手段としての収納部１１ｂ，１１ｃ，１１ｄが設けられてなる。上記収納部１１ａは、収納本体部１１の上半部に設けられた収納スペースの開口部に、開閉部材としての両開きタイプの扉１２ａ，１２ｂを開閉自在に取付けた構成とされている。また、収納部１１ｂ，１１ｃ，１１ｄは、収納本体部１１の下半部に設けられた収納スペースに、引出し部１４が開閉自在、換言すれば、引出し及び押込自在に設けられた構成とされている。
【００２８】
一方の扉１２ａには、操作部としての取っ手部１３ａと、ラッチ機構１３ｂとが取付けられている。ラッチ機構１３ｂは、扉１２ａに組込まれ、扉１２ａを閉状態に保つようにロックする機構である。このような機構としては、爪部を収納本体部１１側に係脱自在に係合させるような周知の機構等を採用できる。取っ手部１３ａは、扉１２ａの外面側に姿勢変更自在に取付けられている。この取っ手部１３ａの姿勢変更に連動して、上記ラッチ機構１３ｂがロック及びロック解除動作を行うようになっている。
【００２９】
そして、扉１２ａ，１２ｂを閉じることで、上記ラッチ機構１３ｂが収納本体部１１にロックして扉１２ａ，１２ｂが閉じた状態に保たれる。この状態で、取っ手部１３ａを引張ることで、上記ラッチ機構１３ｂがロック解除状態となり、扉１２ａ，１２ｂも開くことができるようになる。
【００３０】
また、引出し部１４は、上方に開口する筺状に形成されており、その前面に取っ手部１５ａと、操作部としての操作レバー１５ｂと、ラッチ機構１５ｃとが取付けられている。
【００３１】
ラッチ機構１５ｃは、引出し部１４の前面側の部分に組込まれ、引出し部１４を閉じた状態に保つようにロックする機構である。このような機構としては、爪部を収納本体部１１側に係脱自在に係合させるようにした周知の機構等を採用できる。取っ手部１５ａは、引出し部１４を引出し容易にするために設けられた掴み用の部材であり、その内側に上記操作レバー１５ｂが姿勢変更自在に取付けられている。この操作レバー１５ｂの姿勢変更に連動して、上記ラッチ機構１５ｃがロック及びロック解除動作を行うようになっている。
【００３２】
そして、引出し部１４を閉じることで、上記ラッチ機構１５ｃが収納本体部１１にロックして該引出し部１４が閉じた状態に保たれる。この状態で、上記操作レバー１５ｂを掴んで操作することで、ラッチ機構１５ｃが解除状態となり、取っ手部１５ａを掴んで引出し部１４を引出せるようになる。
【００３３】
なお、格納棚１０Ｂは、上記扉式の収納部１１ａと同様構成を全体に適用した構成であり、詳細な説明は省略する。格納棚としては、その他、引出式の収納部のみを有する格納棚であってもよい。要するに、開閉自在な開閉部材を有する種々の収納手段が本発明の適用対象となる。
【００３４】
＜錠装置及び電子キー＞
図３は錠装置及び電子キーを示す斜視図であり、図４は錠装置に電子キーを差込んだ状態を示す斜視図である。
【００３５】
錠装置２０は、上記のような格納棚１０における扉１２ａ，引出し部１４の外面側に取付けられる。より具体的には、図２の２点鎖線で示すように、錠装置２０は、扉１２ａにおける取っ手部１３ａを覆う位置と、各引出し部１４における取っ手部１５ａ及び操作レバー１５ｂを覆う各位置に取付けられる。
【００３６】
この錠装置２０は、装置本体部２２に、遮蔽部材３０と遮蔽ロック部４０と錠側制御部５４とが組込まれた構成とされている。なお、遮蔽部材３０と遮蔽ロック部４０とで、開閉部材としての上記扉１２ａ、引出し部１４を施錠状態又は解錠状態にする錠ロック部としての機能を実現し、これらの錠ロック部は上記錠側制御部５４により制御される。
【００３７】
装置本体部２２は、扉１２ａ及び引出し部１４の外面側に取付固定される部材である。取付は、例えば、両面テープやねじ止固定等により行われる。
【００３８】
より具体的には、装置本体部２２は、ベース板２３上に、遮蔽部材３０を開閉自在に支持する支持フレーム２４と、カバー２５とが取付けられてなる。装置本体部２２におけるベース板２３及び支持フレーム２４には窓部２５Ｗが形成されており、この窓部２５Ｗを通じて操作部としての取っ手部１３ａ又は操作レバー１５ｂが外方に露出する構成となっている。
【００３９】
遮蔽部材３０は、上記装置本体部２２におけるベース板２３と支持フレーム２４との間で、図３に示す所定の遮蔽位置と、図４に示す所定の開放位置との間でスライド自在に保持されている。遮蔽部材３０が遮蔽位置に配設された状態では、遮蔽部材は窓部２５Ｗを閉塞して取っ手部１３ａ又は操作レバー１５ｂを覆う。これにより、取っ手部１３ａ又は操作レバー１５ｂに対する操作が不可能となり、施錠状態となる。また、この状態から、遮蔽部材３０をカバー２５側の開放位置へスライド移動させて窓部２５Ｗの横側方へ退避させると、窓部２５Ｗが開放して取っ手部１３ａ又は操作レバー１５ｂが露出する状態となる。これにより、取っ手部１３ａ又は操作レバー１５ｂに対する操作が可能となり、解錠状態となる。なお、本錠装置が直接的に上記ラッチ機構１３ｂ，１５ｃ等を駆動してロック状態（解錠状態）又はロック解除状態（施錠状態）にする構成であっても構わない。
【００４０】
遮蔽ロック部４０は、錠側制御部５４の制御に応じて、上記遮蔽部材３０のロックを解除するように構成されている。
【００４１】
この遮蔽ロック部４０としては、ソレノイド４４（図５参照）を駆動させることにより、上記遮蔽部材３０側の被係合部（図示省略）と装置本体部２２側の係合部を係脱させて、遮蔽部材３０をロック解除状態（遮蔽位置から移動可能な状態）にする構成が採用されている。なお、ロック状態に戻る機構については、例えば、一旦、ロック解除状態にした後、電子キー６０をセット部４２から抜くと、バネ等による機械的な付勢力によってロック状態（遮蔽位置から移動不可能な状態）に戻る機構を採用できる。なお、所定のタイミング（例えば、遮蔽部材３０が閉じられたタイミング等）で、上記ソレノイド４４等のアクチュエータの駆動によってロック状態に戻らせる機構を採用してもよい。
【００４２】
また、ここでは、上記ソレノイド４４は、装置本体部２２に設けられたセット部４２の受電端子４２ａを介して電子キー６０からの電力供給を受けて駆動する構成となっている。勿論、遮蔽ロック部４０としては、その他、アクチュエータを利用してロック及びアンロック解除状態にすることが可能な種々の構成を採用することができる。
【００４３】
錠側制御部５４は、マイコンチップ等を含む電子回路によって構成されており、制御基板の形態で上記装置本体部２２に組込まれている。この錠側制御部５４は、受電端子４２ａを介して電子キー６０から電力供給を受けて動作する。また、錠側制御部５４は、セット部４２に設けられた通信部４２ｂを介して電子キー６０と通信を行って後述する所定の演算処理を実行し、ソレノイド４４の駆動等を制御する構成となっている。
【００４４】
電子キー６０は、電子的な認証によって上記錠装置２０を解錠するためのものであり、上記セット部４２にセット可能な形状、ここでは、略長方形板状に形成されている。
【００４５】
図５は錠装置及び電子キーの電気的構成を示すブロック図である。
【００４６】
すなわち、電子キー６０は、キー側制御部６２と記憶部６３と電源６４とを有している。
【００４７】
キー側制御部６２は、ＣＰＵ、ＲＯＭおよびＲＡＭ等を備える一般的なマイクロコンピュータにより構成され、その演算動作はすべて予め格納されたソフトウェアプログラムによって実行される要素である。このキー側制御部６２には、認証情報を記憶した記憶部６３が組込まれている。
【００４８】
また、電子キー６０が上記セット部４２にセットされると、キー側制御部６２は、通信部６５を介して錠側制御部５４との間で通信を行って、認証情報を参照しつつ認証に関する所定の処理を実行する。また、キー側制御部６２はタイマ回路を含んでおり、後述する所定のタイミングで記憶部６３に利用履歴を書込む。なお、記憶部６３は、キー側制御部６２とは別構成とされていてもよい。
【００４９】
電源６４は、充電池であり、キー側制御部６２等の電源として機能する。本電子キー６０がキー発行機８０にセットされた状態では、電源６４に対して充電がなされる。また、電子キー６０がセット部４２にセットされた状態では、電源６４から給電端子６６及び受電端子４２ａを介して錠装置２０側に給電を行う。
【００５０】
錠装置２０は、錠側制御部５４と記憶部５５とを有している。錠側制御部５４は、ＣＰＵ、ＲＯＭおよびＲＡＭ等を備える一般的なマイクロコンピュータにより構成され、その演算動作はすべて予め格納されたソフトウェアプログラムによって実行される要素である。この錠側制御部５４には、上記認証動作に必要な所定の情報を記憶した記憶部５５が組込まれている。そして、電子キー６０が上記セット部４２にセットされると、上記電子キー６０との間で通信を行って、認証に関する所定の処理を実行する。そして、認証結果が利用可である場合に、スイッチ部５６を一時的にオンにしてソレノイド４４に通電可能な状態にする。なお、記憶部５５は、錠側制御部５４とは別構成とされていてもよい。
【００５１】
また、錠装置２０は、開閉センサ２８を備えている。開閉センサ２８は、扉１２ａ，１２ｂや引出し部１４の開閉状態を検出するセンサであり、光センサやマイクロスイッチ等により構成されている。この開閉センサ２８の検知結果が錠側制御部５４を介してキー側制御部６２に与えられる。
【００５２】
そして、電子キー６０をセット部４２にセットすると、給電端子６６及び受電端子４２ａを介して、電源６４から錠側制御部５４に給電がなされる。そして、通信部４２ｂ，６５を介して、電子キー６０のキー側制御部６２と錠側制御部５４との間で通信がなされる。ここでは、通信は、電波通信又は光通信等により行われ、好ましくは、FeliCa等に適用される無線通信により行われる。そして、キー側制御部６２と錠側制御部５４との間で通信を行うことで、該当する格納棚１０での使用可か否かに関して所定の認証動作がなされる。
【００５３】
ここでの認証処理としては周知の種々の方式を採用できるが、そのうちの一つを例示すると次のような処理である。すなわち、キー側制御部６２の記憶部６３には、認証情報として、図６に示すように、各利用者を特定するための利用者特定番号（Ｂ００００，Ｂ０００１，Ｂ０００２，Ｂ０００３，…）毎に、収納部１１ａ，１１ｂ，１１ｃ，１１ｄの位置を特定する位置特定番号（Ａ００００，Ａ０００１，Ａ０００２，Ａ０００３，…）と利用可否の情報を特定したテーブルが書込まれている。つまり、ここでは、複数の格納位置及び複数の利用者が想定される格納システムを前提としているため、認証情報として、利用者別に、各格納位置の利用可否を設定した情報を記憶している。キー発行機８０から電子キー６０が発行される際に、利用者が特定され、特定情報が電子キー６０に与えられている。また、錠側制御部５４の記憶部５５には、位置特定番号が記憶されている。そして、電子キー６０がセット部４２にセットされることで、錠側制御部５４からキー側制御部６２に、格納棚１０の位置特定番号が与えられる。これにより、キー側制御部６２は、前記テーブル、予め与えられた利用者特定情報、さらに、錠側制御部５４から与えられる位置特定番号に基づいて、該錠側制御部５４が設けられた収納部１１ａ，１１ｂ，１１ｃ，１１ｄの利用可否を判断する。利用可と判断された場合に、利用許可指令を錠側制御部５４に与える。この指令を受けて、錠側制御部５４は、ソレノイド４４の駆動を制御しえてロック解除状態にして遮蔽部材３０を開放可能な状態にする。また、その後、ソレノイド４４を駆動制御して、遮蔽部材３０をロック状態にする。
【００５４】
なお、例えば、キー側制御部６２から錠側制御部に認証情報を与え、錠側制御部５４で利用可否を判断するようにしてもよい。要するに、電子キー６０側の記憶部６３に記憶された認証情報に基づいて、キー側制御部６２と錠側制御部５４との通信を通じて利用可否を決定する種々の認証動作を採用することができる。
【００５５】
＜キー発行機＞
キー発行機８０は、図１に示すように、電子キー６０をセットするためのセット部８１を有しており、利用者に対して電子キー６０を発行する。
【００５６】
図７はキー発行機及び電子キーの電気的構成を示すブロック図である。キー発行機８０は、キー発行ロック部８４とキー発行制御部９０とを備えている。
【００５７】
キー発行ロック部８４は、充電部８３及びキー発行ロック部８４とを備えている。充電部８３は、セット部８１にセットされた電子キー６０の電源６４に対して、充電端子８２ａを介して充電を行う。キー発行ロック部８４は、キー発行制御部９０の制御に応じて、セット部８１にセットされた電子キー６０を取出し不能にロック又はロック解除するように構成されている。このようなキー発行ロック部８４は、例えば、セット部８１にセットされた電子キー６０に係脱自在な係合機構を、ソレノイド等のアクチュエータにより駆動制御する機構等により実現される。
【００５８】
キー発行制御部９０は、発行制御部９２と、テンキー９４とを備えている。発行制御部９２は、ＣＰＵ、ＲＯＭおよびＲＡＭ等を備える一般的なマイクロコンピュータにより構成され、その演算動作はすべて予め格納されたソフトウェアプログラムによって実行される要素である。このキー発行制御部９０には、記憶部９３が組込まれており、この記憶部９３には、個人を特定するための情報、ここでは、各利用者と各利用者に割当てられた暗証番号とを対応づけた特定情報テーブルが記憶されている。テンキー９４は、利用者が暗証番号を入力するための入力手段である。そして、利用者がテンキー９４を通じて暗証番号を入力すると、キー発行制御部９０は、入力された暗証番号と上記特定情報テーブルとに基づいて、正規の利用者であるか否かを判断すると共に、利用者を特定する。そして、特定された利用者に関する情報を、通信部８１ｂを通じてセット部８１にセットされた電子キー６０に与える。この後、キー発行ロック部８４を制御してロック解除にする。
【００５９】
なお、ここでは、キー発行制御部９０が利用者を特定するための利用者特定手段として機能している。キー発行制御部９０は、上記のようにテンキー９４を通じた暗証番号の入力によって利用者を特定する他、ＩＤカード（例えばfelica）をリーダ（例えばパソリ）で読込んで認証する構成、指紋や静脈、音声等の生体認証装置を追加して又は代替手段として採用することで、利用者特定手段を構成するようにしてもよい。
【００６０】
また、これらの利用者特定手段としての構成を、電子キー６０自体に組込むようにしてもよい。また、上記キー発行ロック部８４とキー発行制御部９０との間で、無線ＬＡＮ等の無線方式で通信を行わせ、両者を分離して設置可能にし、キー発行ロック部８４を格納棚１０自体に取付けるようにしてもよい。
【００６１】
＜動作説明＞
図８はキー発行機の動作を示すフローチャートである。
【００６２】
すなわち、キー発行機８０における電子キー６０の発行、回収動作は次のようにしてなされる。
【００６３】
初期状態は、キー発行機８０のセット部８１に電子キー６０がセットされ、キー発行ロック部８４のロックにより電子キー６０は抜けない状態となっている。
【００６４】
この状態で、ステップＳ１に示すように、テンキー９４を通じて暗証番号が入力されると、次のステップＳ２において、入力された暗証番号及び上記特定情報テーブルに基づいて、暗証番号が合致したか否かが判定される。そして、暗証番号が不一致の場合には処理を終了し、暗証番号が合致している場合には、ステップＳ３に進み、利用者特定情報を電子キー６０に付与し、キー発行ロック部８４をロック解除状態にする。これにより、電子キー６０はセット部８１から抜いて取出し可能となり、利用者は該電子キー６０を所持して本格納システムを利用できるようになる。
【００６５】
この後、ステップＳ４において、電子キー６０の返却の有無が判断される。ここでの判断は、例えば、セット部８１に設けられた接触センサ等の検知出力に基づいて発行制御部９２においてなされる。電子キー６０が返却されるまで、ステップＳ４の処理が繰返され、電子キー６０が返却されると、ステップＳ５に進む。
【００６６】
ステップＳ５では、キー発行ロック部８４をロック状態にする。これにより、電子キー６０はセット部８１から抜けない状態となる。これにより、利用者は電子キー６０をキー発行機８０に返却して、本格納システムの利用を終了する。
【００６７】
図９は電子キーの動作を示すフローチャートである。
【００６８】
すなわち、上記発行動作を経て電子キー６０が利用者に対して発行される。
【００６９】
そして、まず、ステップＳ１１において、電子キー６０が錠装置２０のセット部４２にセットされたか否かが判断される。電子キー６０がセット部４２にセットされるまでステップＳ１１の処理が繰返され、電子キー６０がセット部４２にセットされると、次のステップＳ１２に進む。
【００７０】
ステップＳ１２では、錠側制御部５４とキー側制御部６２との間で通信を行って上述したような認証処理を行い、ステップＳ１３に進む。
【００７１】
ステップＳ１３において、認証処理の結果、利用不可であると判断された場合には、処理を終了する。一方、ここで、利用可と判断された場合には、ステップＳ１４に進み、錠側制御部５４に対して解錠指令を与え、次ステップＳ１５に進む。
【００７２】
ステップＳ１５では、扉１２ａ，１２ｂ又は引出し部１４が開かれたか否かが判断される。ここでの判断は、上記開閉センサ２８からの検知結果に基づいてなされる。そして、開状態が検知されるまで、ステップＳ１５の処理が繰返され、開状態が検知されると、ステップＳ１６に進む。
【００７３】
ステップＳ１６では、キー側制御部６２は、記憶部６３に利用履歴を書込み、次ステップＳ１７に進む。
【００７４】
ステップＳ１７では、扉１２ａ，１２ｂ又は引出し部１４が閉じられたか否かが判断される。ここでの判断は、上記開閉センサ２８からの検知結果に基づいてなされる。そして、閉状態が検知されるまで、ステップＳ１７の処理が繰返され、閉状態が検知されると、ステップＳ１８に進む。
【００７５】
ステップＳ１８では、キー側制御部６２は記憶部６３に利用履歴を書込む。そして、処理を終了する。
【００７６】
なお、上記記憶部６３に書込まれる利用履歴は、利用された収納部１１ａ，１１ｂ，１１ｃ，１１ｄ等（又は施解錠された錠装置２０）を特定する情報（例えば図６の位置特定番号）、利用者を特定する情報（例えば図６の利用者特定番号）、利用内容に関する情報（例えば、扉１２ａ，１２ｂ又は引出し部１４が開かれたのか、閉じられたのか）、時間情報を含み、かつ、互いに対応づけられた情報である。なお、利用履歴は、これらの各情報のうち少なくとも一つを含むものであってもよい。
【００７７】
図１０は錠装置の動作を示すフローチャートである。
【００７８】
まず、ステップＳ２１において、電子キー６０のセットの有無が判断される。電子キー６０がセットされるまでステップＳ２１の処理が繰返される。そして、利用者が電子キー６０を錠装置２０のセット部４２にセットし、電子キー６０のセット有りと判断されると、次ステップＳ２２に進む。
【００７９】
ステップＳ２２では、錠側制御部５４とキー側制御部６２との間で通信を行って上述したような認証処理を行い、ステップＳ２３に進む。
【００８０】
ステップＳ２３では、解錠指令の有無が判断される。解錠指令が無い場合、処理を終了する。一方、キー側制御部６２から解錠指令が与えられた場合、遮蔽ロック部４０を解錠状態にする。これにより、遮蔽ロック部４０の遮蔽部材３０は開放可能な状態になる。これにより、利用者は、遮蔽部材３０を開くことにより、扉１２ａ，１２ｂや引出し部１４を開いて収納部１１ａ，１１ｂ，１１ｃ，１１ｄ等のうちの一つを利用できる。
【００８１】
ステップＳ２３の後、ステップＳ２４に進む。ステップＳ２４では、上記ソレノイド４４を制御することで、遮蔽ロック部４０を施錠可能状態にする。これにより、遮蔽部材３０を閉じると、遮蔽部材３０が閉じられた状態でロックされ、遮蔽ロック部４０は施錠状態になる。以上により処理を終了する。
【００８２】
＜格納システムの利用例＞
上記格納システムの利用例について説明する。
【００８３】
まず、本システムの初期設定において、各利用者の特定情報及び各利用者毎に利用可能な収納部１１ａ，１１ｂ，１１ｃ，１１ｄ等（又は錠装置２０）の特定情報が設定登録される。この設定登録情報は、図示省略の管理パソコンに登録されると共に、この管理パソコンを通じて予め電子キー６０等に登録されている。この電子キー６０は予めキー発行機８０のセット部８１にセットされている。
【００８４】
本格納システムの利用者は、キー発行機８０前に移動する。そして、テンキー９４に暗証番号を入力して、そのセット部８１から電子キー６０の発行を受ける。
【００８５】
利用者は、電子キー６０を所持して利用したい収納部１１ａ，１１ｂ，１１ｃ，１１ｄ等の前に移動し、電子キー６０を錠装置２０のセット部４２にセットする。すると、電子キー６０と錠装置２０との間で、上記認証処理が行われ、利用可であると判断されると、錠装置２０が解錠される。これにより、利用者は、錠装置２０の遮蔽部材３０を開いて所望の収納部１１ａ，１１ｂ，１１ｃ，１１ｄ等を利用できる。
【００８６】
利用が終了すると、利用者は遮蔽部材３０を閉じ、電子キー６０をセット部４２から抜く。すると、錠装置２０は施錠状態になる。この後、利用者は、再度キー発行機８０前に移動し、電子キー６０をキー発行機８０のセット部８１にセットして利用を終了する。
【００８７】
なお、電子キー６０に記憶された利用履歴は、適宜管理パソコン等を通じて読込んで、該パソコンの表示手段等に表示させることができる。
【００８８】
＜まとめ＞
以上のように構成された格納システムによると、錠装置２０と電子キー６０とが通信を行って認証動作を行い利用可と判断されたときに、錠装置２０を解錠状態にする格納システムにおいて、錠装置２０に、収納部１１ａ，１１ｂ，１１ｃ，１１ｄ等に関する利用履歴を記憶させるようにしている。このため、各収納部１１ａ，１１ｂ，１１ｃ，１１ｄ等の利用状況を適切に管理でき、情報セキュリティ対策にとても有効である。
【００８９】
なお、錠装置２０側に利用履歴を書込むようにしてもよい。もっとも、電子キー６０側に利用履歴を書込むようにした方が、例えば、管理パソコン等で履歴管理を行い易く、また、電子キー６０単位で管理を行えるというメリットがある。
【００９０】
また、利用履歴としては、電子キー６０を用いて収納部１１ａ，１１ｂ，１１ｃ，１１ｄ等を利用する種々の履歴を考えることができる。
【００９１】
特に、本実施形態では、電子キー６０は、収納部１１ａ，１１ｂ，１１ｃ，１１ｄ等の利用開始タイミングとして扉１２ａ，１２ｂ又は引出し部１４の開状態が検知されたタイミングと、収納部１１ａ，１１ｂ，１１ｃ，１１ｄ等の利用終了タイミングとして扉１２ａ，１２ｂ又は引出し部１４の閉状態が検知されたタイミングとで、利用履歴を記憶させるようにしているため、利用者の利用開始及び終了時間を履歴として残すことで、それらの利用状況をより適切に管理できる。
【００９２】
なお、利用開始タイミング及び利用終了タイミングのうち一方のみで利用履歴を残すようにしてもよい。また、利用開始タイミング及び利用終了タイミングとして、扉１２ａ，１２ｂ又は引出し部１４の開閉状態に応じたタイミングの他、ソレノイド４４の駆動タイミングや遮蔽部材３０の開閉検出タイミング、電子キー６０がセット部４２に挿脱されたタイミング等のうち少なくとも一つに応じたタイミングであってもよい。
【００９３】
また、電子キー６０は、上述したような利用開始タイミング及び利用終了タイミングの他、キー発行機８０から発行されたタイミングや、キー発行機８０に返却されたタイミングでそれらの発行、返却履歴を記憶するようにしてもよい。
【００９４】
さらに、利用者をキー発行制御部９０で特定し、利用者特定情報を電子キー６０に与え、電子キー６０で、特定された利用者に関する情報を含む利用履歴を前記記憶部に記憶させるようにしているため、電子キーが複数の利用者で共用される場合であっても、各利用者毎に利用履歴を管理できる。
【００９５】
もっとも、電子キー６０が各利用者毎に個別に発行されるような場合においては、各電子キー６０は利用者を特定せずに、その電子キー６０の利用履歴を記憶していくことで、結局は、電子キー６０毎、即ち、利用者毎に電子キー６０の利用履歴を管理できる。
【００９６】
｛変形例｝
図１１は変形例に係る格納システムを示す斜視図であり、図１２は変形例に係る錠装置、電子キー及び格納物検索装置の電気的構成を示すブロック図である。
【００９７】
この変形例に係る格納システムは、収納手段としての収納部１１ａに格納された格納物を検索する格納物検索装置１００をさらに備えている。
【００９８】
格納物検索装置１００は、タグ装置１１０と通信部１１２とを備えており、キー側制御部６２Ｂが検索制御部として機能するように構成されている。
【００９９】
タグ装置１１０は、格納物１１１に応じた識別符号が割与えられた装置であり、上記各格納物（例えば書類を閉じたファイル等）に取付けられている。通信部１１２は、例えば、扉１２ａの内側に取付けられており、収納部１１ａ内の格納物１１１に取付けられた各タグ装置１１０との間で通信可能とされている。タグ装置１１０と通信部１１２とは、ここでは、光信号により通信を行う。勿論、電波等を用いた通信形式であってもいよい。
【０１００】
そして、電子キー６０Ｂが錠装置２０Ｂのセット部４２にセットされた状態で、検索制御部としてのキー側制御部６２Ｂが、錠側制御部５４及び通信部１１２を介して、各タグ装置１１０との間で通信を行う。これにより、該収納部１１ａ内に収納された格納物１１１の在庫状況（少なくとも在庫の有無を含む状況）を認識可能なように構成されている。
【０１０１】
なお、格納物検索装置１００自体は、例えば、特開２００４−３５９４５９号公報に開示されている技術を適用できる。
【０１０２】
また、通信部１１２は、錠装置２０Ｂにおけるセット部４２の受電端子４２ａにも接続されている。そして、通信部１１２は、錠装置２０Ｂを介して、セット部４２にセットされた電子キー６０Ｂの電源６４から光通信を行うための（特に光信号を発するための）電力供給を受けるように構成されている。
【０１０３】
図１３は、変形例に係る格納システムにおいて、電子キーの動作を示すフローチャートである。
【０１０４】
すなわち、電子キー６０Ｂが利用者に対して発行された後、まず、ステップＳ３１において、電子キー６０Ｂが錠装置２０のセット部４２にセットされたか否かが判断される。電子キー６０Ｂがセット部４２にセットされるまでステップＳ３１の処理が繰返され、電子キー６０Ｂがセット部４２にセットされると、次のステップＳ３２に進む。
【０１０５】
ステップＳ３２では、錠側制御部５４とキー側制御部６２Ｂとの間で通信を行って認証処理を行い、ステップＳ３３に進む。
【０１０６】
ステップＳ３３において、認証処理の結果、利用不可であると判断された場合には、処理を終了する。一方、ここで、利用可と判断された場合には、ステップＳ３４に進み、錠装置２０Ｂ側に解錠指令を与え、次ステップＳ１５に進む。
【０１０７】
ステップＳ３５では、扉１２ａが開かれたか否かが判断される。ここでの判断は、上記開閉センサ２８からの検知結果に基づいてなされる。そして、開状態が検知されるまで、ステップＳ３５の処理が繰返され、開状態が検知されると、ステップＳ３６に進む。
【０１０８】
ステップＳ３６では、キー側制御部６２Ｂが通信部１１２を介して各タグ装置１１０との間で通信を行い、格納物１１１の在庫状況を検索する。この後、ステップＳ３７に進んで、記憶部６３に利用履歴を書込み、次ステップＳ３８に進む。ここでの利用履歴には、上記実施形態で述べた情報に加えて、格納物１１１の在庫状況が含まれる。
【０１０９】
ステップＳ３８では、扉１２ａが閉じられたか否かが判断される。そして、閉状態が検知されるまで、ステップＳ３８の処理が繰返され、閉状態が検知されると、ステップＳ３９に進む。
【０１１０】
ステップＳ３９では、キー側制御部６２Ｂが通信部１１２を介して各タグ装置１１０との間で通信を行い、格納物１１１の在庫状況を検索する。この後、ステップＳ４０に進んで、記憶部６３に利用履歴を書込み、処理を終了する。ここでの利用履歴には、上記実施形態で述べた情報に加えて、格納物１１１の在庫状況が含まれる。
【０１１１】
この変形例によると、収納部１１ａの利用開始タイミングとして扉１２ａが開かれたタイミングと、その利用終了タイミングとして扉１２ａが閉じられたタイミングで、格納物の在庫状況を検索すると共に、その検索結果としての在庫状況を含む利用履歴を記憶部６３に記憶させるようにしているため、各利用開始時又は終了時における格納物１１１の在庫状況をも管理できる。これにより、各格納物１１１毎に取出され或は返却された時点ないし利用者を特定して管理でき、利用状況をより適切に管理できる。
【０１１２】
しかも、キー側制御部６２Ｂが電子キー６０Ｂに組込まれているため、格納棚１０側に検索用の制御装置を組込む必要がない。しかも、通信部１１２も電子キー６０Ｂからの電力供給を受けてタグ装置１１０と光通信を行う構成であるため、格納棚１０側に電源を組込む必要がない。このため、検索を行うために格納棚１０自体に追加する構成を簡易化できるというメリットがある。
【０１１３】
なお、上記利用開始タイミング及び利用終了タイミングの一方のみで、検索動作を行って格納物の在庫状況を記憶させるようにしてもよい。また、利用開始タイミング及び利用終了タイミングは、扉１２ａの開閉タイミングに限られず、上記実施形態で説明したように、利用開始又は終了に伴って動作制御され或は変化する種々の状態に応じたタイミングとすることができる。
【符号の説明】
【０１１４】
１０，１０Ｂ  格納棚
１１ａ，１１ｂ，１１ｃ，１１ｄ，１１Ｂａ  収納部
１２ａ，１２ｂ  扉
１４  引出し部
２０，２０Ｂ  錠装置
４０  遮蔽ロック部
５４  錠側制御部
５５  記憶部
６０，６０Ｂ  電子キー
６２  キー側制御部
６２，６２Ｂ  キー側制御部
６３  記憶部
６４  電源
８０  キー発行機
１００  格納物検索装置
１１０  タグ装置
１１１  格納物
１１２  通信部
【図１】
2011256710.tif 000003
【図２】
2011256710.tif 000004
【図３】
2011256710.tif 000005
【図４】
2011256710.tif 000006
【図５】
2011256710.tif 000007
【図６】
2011256710.tif 000008
【図７】
2011256710.tif 000009
【図８】
2011256710.tif 000010
【図９】
2011256710.tif 000011
【図１０】
2011256710.tif 000012
【図１１】
2011256710.tif 000013
【図１２】
2011256710.tif 000014
【図１３】
2011256710.tif 000015